(57)【特許請求の範囲】
【請求項１】
係脱可能に係合して咬合部を一つ構成する一対の雄部材および雌部材を備え、包装袋の開口縁に略沿って設けられて前記雄部材および前記雌部材の係脱により前記包装袋の開口を開閉する咬合具であって、
前記雄部材および前記雌部材の少なくともいずれか一方に前記咬合部よりも前記開口縁側に位置して設けられ、互いに係合した状態でいずれか他方に当接する支柱部を備え、
前記雄部材は、前記包装袋に前記開口縁に略沿って設けられる長手状の帯状雄基部と、この帯状雄基部の長手方向に略沿って突設された雄型咬合部とを備え、
前記雌部材は、前記包装袋に前記雄部材に略対向して設けられる長手状の帯状雌基部と、この帯状雌基部の長手方向に略沿って突設され前記雄型咬合部に係脱可能に係合して咬合部を構成する雌型咬合部とを備え、
前記支柱部は、前記咬合部より前記包装袋の開口縁側に位置して突設され、かつ前記帯状雄基部および前記帯状雌基部に先端が互いに当接可能にそれぞれ対向する位置に設けられ、
前記帯状雄基部および前記帯状雌基部の少なくともいずれかは、前記支柱部に対向する位置に前記支柱部を固定するリブを有した
ことを特徴とした咬合具。
【請求項２】
請求項１に記載の咬合具であって、
前記雄型咬合部と前記雌型咬合部とが係合した状態において、
前記雄型咬合部および前記雌型咬合部の少なくともいずれかは、対向する前記帯状雌基部または前記帯状雄基部に当接する咬合当接面を有した
ことを特徴とした咬合具。
【請求項３】
請求項１または請求項２に記載の咬合具であって、
前記支柱部は、先端に対向する前記雄部材または前記雌部材に当接する支柱当接面を有した
ことを特徴とした咬合具。
【請求項４】
請求項３に記載の咬合具であって、
前記支柱部は、前記支柱当接面が基端面の垂直方向の延長線上の範囲内に位置する形状に形成された
ことを特徴とした咬合具。
【請求項５】
請求項１ないし請求項４のいずれかに記載の咬合具であって、
前記支柱部は、複数条設けられた
ことを特徴とした咬合具。
【請求項６】
請求項１ないし請求項５のいずれかに記載の咬合具であって、
前記帯状雄基部と前記帯状雌基部とのうち少なくともいずれかと前記包装袋との間には基底部が設けられ、前記基底部は、構成する樹脂の融点が前記雄部材および前記雌部材を構成する樹脂の融点よりも低い
ことを特徴とした咬合具。
【請求項７】
請求項６に記載の咬合具であって、
前記基底部は、密度が８５０ｋｇ／ｍ３以上９１０ｋｇ／ｍ３以下、メルトフローレートが１．０ｇ／１０分以上５．０ｇ／１０分以下であるメタロセン系直鎖状低密度ポリエチレンを５０質量％以上９９質量％以下の割合で含有し、
前記雄部材および前記雌部材は、構成する樹脂のメルトフローレートが３．０ｇ／１０分以上１０ｇ／１０分以下のランダムポリプロピレンである
ことを特徴とした咬合具。
【請求項８】
包装袋本体と、
この包装袋に設けられた請求項１ないし請求項７のいずれかに記載の咬合具と、
を具備したことを特徴とした咬合具付き包装袋。
【発明の詳細な説明】
【技術分野】
【０００１】
本発明は、包装袋などに取り付けられて開封及び再封が可能な咬合具、この咬合具を設けた咬合具付き包装袋に関する。
【背景技術】
【０００２】
従来、食品、薬品、医療品、雑貨等の各種物品を包装するための咬合具付き包装袋としては、袋の開口側に雄部材および雌部材から構成されて雌雄咬合する一対の帯状の咬合具が設けられ、かかる係合状態を開閉自在とした包装袋が知られている（例えば、特許文献１および特許文献２参照）。
【０００３】
特許文献１では、咬合具としてのジッパーテープは、一対の雄部材および雌部材を有している。雄部材は、帯状雄基部と、この帯状雄基部における長手方向の両端部に設けられた支柱部とを有している。また、雌部材も同様に、帯状雌基部と、この帯状雌基部における長手方向の両端部に設けられた支柱部とを有している。そして、雄部材と雌部材とが咬合部を構成した状態では、雄部材の支柱部と雌部材の支柱部とが互いに周面上で当接する。
特許文献２では、咬合具としてのジッパ用ストリップは、一対の雄部材としての雄型プロフィルおよび雌部材としての雌型プロフィルを有する。雄型プロフィルは、長手方向の両端部に支柱部としての高圧縮部材を有している。また、雌型プロフィルも同様に、長手方向の両端部に高圧縮部材を有している。
そして、雄型プロフィルと雌型プロフィルとが係合した状態では、雄型プロフィルの高圧縮部材と雌型プロフィルの高圧縮部材とが当接する。
【０００４】
【特許文献１】米国特許公報５，４６２，３６０号公報
【特許文献２】特開２０００−２５５５９７号公報
【発明の開示】
【発明が解決しようとする課題】
【０００５】
ところで、特許文献１および特許文献２に記載のような咬合具では、支柱部は包装袋の収納側にもそれぞれ設けられている。このため、咬合具を設けた包装袋を開封する際、収納側の支柱部が互いに当接することにより、開封がしにくくなると考えられる。このように、係合度合いが安定しない場合、フィルムが破断したり、シール部分が後退したり、剥離してしまうおそれが考えられる。
【０００６】
また、特許文献１に記載のような咬合具では、雄部材と雌部材とが係合した状態において、雄部材の支柱部と雌部材の支柱部とが互いに周面上で当接する。このため、包装袋に雄部材および雌部材をシールする際、互いの支柱部が帯状雄基部および帯状雌基部から押圧力を受けると、対向する支柱部は互いに摺動する。このため、支柱部は雄部材と雌部材とを安定に支持することができないと考えられる。よって、咬合部が変形したり、雄部材および雌部材が包装袋に均一にシールされないおそれが考えられる。そして、包装袋にはシワなどが発生し外観が悪くなるおそれあると考えられる。
【０００７】
本発明の目的は、上述のような問題などを解決するため、咬合部の変形を抑えて、均一にシール可能であり、係合度合いが安定した咬合具、および外観が良好な咬合具付き包装袋を提供することである。
【課題を解決するための手段】
【０００８】
本発明の咬合具は、係脱可能に係合して咬合部を一つ構成する一対の雄部材および雌部材を備え、包装袋の開口縁に略沿って設けられて前記雄部材および前記雌部材の係脱により前記包装袋の開口を開閉する咬合具であって、前記雄部材および前記雌部材の少なくともいずれか一方に前記咬合部よりも前記包装袋の開口縁側に位置して設けられ、互いに係合した状態でいずれか他方に当接する支柱部を備え、前記雄部材は、前記包装袋に前記開口縁に略沿って設けられる長手状の帯状雄基部と、この帯状雄基部の長手方向に略沿って突設された雄型咬合部とを備え、前記雌部材は、前記包装袋に前記雄部材に略対向して設けられる長手状の帯状雌基部と、この帯状雌基部の長手方向に略沿って突設され前記雄型咬合部に係脱可能に係合して咬合部を構成する雌型咬合部とを備え、前記支柱部は、前記咬合部より前記包装袋の開口縁側に位置して突設され、かつ前記帯状雄基部および前記帯状雌基部に先端が互いに当接可能にそれぞれ対向する位置に設けられ、前記帯状雄基部および前記帯状雌基部の少なくともいずれかは、前記支柱部に対向する位置に前記支柱部を固定するリブを有したことを特徴とする。
【０００９】
このような構成によれば、雄部材と雌部材とが係合した状態で雄部材および雌部材を包装袋にシールする際、雄部材および雌部材がシールするための押圧力を受けても、支柱部が対向する雄部材または雌部材に当接するので、支柱部は雄部材および雌部材を安定して支持する。このため、雄部材および雌部材は動いたり、変形したりしにくくなる。したがって、雄部材および雌部材は包装袋との当接部分において均一にシールされる。そして、咬合具は包装袋に強く固定されるようになる。さらに、シワなどが生じず、外観が良好な包装袋を得ることができる。
【００１０】
また、支柱部が係合部分とともに雄部材および雌部材にかかる押圧力を分散するので、支柱部を有しない場合と比較して、係合部分にかかる押圧力が小さくなる。このため、係合部分は変形しにくくなる。
そして、支柱部が咬合部よりも開口縁側に位置して設けられているので、包装袋を開封する際、支柱部は、対向する雄部材または雌部材に当接しない。したがって、支柱部が収納側に位置する場合と比較して、咬合具を開封し易くできる。
さらに、前記帯状雄基部および前記帯状雌基部の少なくともいずれかは、前記支柱部に対向する位置に前記支柱部を固定するリブを有している。
このような構成によれば、前記雄型咬合部と前記雌型咬合部とが係合する際や咬合具を包装袋にシールする際、リブが対向する支柱部に当接することにより支柱部を固定してずれを防ぐことができる。
【００１１】
本発明において、前記雄部材は、前記包装袋に前記開口縁に略沿って設けられる長手状の帯状雄基部と、この帯状雄基部の長手方向に略沿って突設された雄型咬合部とを備え、前記雌部材は、前記包装袋に前記雄部材に略対向して設けられる長手状の帯状雌基部と、この帯状雌基部の長手方向に略沿って突設され前記雄型咬合部に係脱可能に係合して咬合部を構成する雌型咬合部とを備え、前記支柱部は、前記咬合部より前記包装袋の開口縁側に位置して突設されている。
【００１２】
このような構成によれば、雄部材は、帯状雄基部および雄型咬合部から構成され、雌部材は、帯状雌基部および雌型咬合部から構成されるが、上述した効果と同様の効果を得ることができる。
したがって、上述した効果が得られる構成が簡単な構成で容易に得られる。
【００１３】
本発明において、前記支柱部は、前記帯状雄基部および前記帯状雌基部に先端が互いに当接可能にそれぞれ対向する位置に設けられている。
このような構成によれば、それぞれの支柱部は、包装袋に咬合具をシールする際、先端部分で互いに当接して帯状雄基部および帯状雌基部を支持する。このため、それぞれの支柱部は、一つの支柱部により帯状雄基部および帯状雌基部を支持する場合と比較して、高さ寸法が短くてすむので、形成が容易になる。
【００１４】
また本発明では、前記雄型咬合部と前記雌型咬合部とが係合した状態において、前記雄型咬合部および前記雌型咬合部の少なくともいずれかは、対向する前記帯状雌基部または前記帯状雄基部に当接する咬合当接面を有したことが好ましい。
このような構成によれば、包装袋に咬合具をシールする際、帯状雄基部および帯状雌基部は面に当接するので、損傷することがない。したがって、雄型咬合部および雌型咬合部は、互いを安定して支持することができる。
【００１５】
本発明において、前記支柱部は、先端に対向する前記雄部材または前記雌部材に当接する支柱当接面を有することが好ましい。
このような構成によれば、包装袋に咬合具をシールする際、雄部材または雌部材は損傷することがない。
【００１６】
本発明において、前記支柱部は、前記支柱当接面が基端面の垂直方向の延長線上の範囲内に位置する形状に形成されることが好ましい。
ここで、基端面とは、帯状雄基部または帯状雌基部における、支柱部が設けられた一平面で支柱部に連続した延長上の仮想面である。
例えば、支柱当接面が基端面の垂直方向の延長線上の範囲外に位置する場合、支柱部が帯状雄基部に当接する状態において、帯状雄基部に当接する支柱当接面が受ける応力の方向と基端面が受ける応力の方向とが互いに対向しなくなるので、支柱部は変形しやすくなる。
このため、支柱当接面が基端面の垂直方向の延長線上の範囲内に位置するので、支柱部は当接時に変形しにくくなり、応力を効率よく吸収して帯状雄基部および帯状雌基部を安定に支持することができる。
【００１７】
本発明において、前記支柱部は、複数条設けられたことが好ましい。
このような構成によれば、支柱部は、帯状雄基部および帯状雌基部からシールするための押圧力を受けても、支柱部が複数設けられているので、押圧力を分散する。このため、複数条の支柱部は、帯状雄基部および帯状雌基部をさらに安定して支持することができる。
【００１９】
本発明において、前記帯状雄基部と前記帯状雌基部とのうち少なくともいずれかと前記包装袋との間には基底部が設けられ、前記基底部は、構成する樹脂の融点が前記雄部材および前記雌部材を構成する樹脂の融点よりも低いことが好ましい。
このため、帯状基部を袋体にシールする際、雄部材および雌部材が熱により変形しにくくなるので、咬合具は帯状基部の全幅に渡り均一にシールされやすくなる。
そして融点の温度差は、具体的には、１０℃以上５０℃以下であることが好ましく、さらに好ましくは、２０℃以上４０℃以下である。
【００２０】
本発明において、前記基底部は密度が８５０kg／m３以上９１０kg／m３以下、メルトフローレート（ＭＦＲ）が１．０ｇ／１０分以上５．０ｇ／１０分以下であるメタロセン系直鎖状低密度ポリエチレンを５０質量％以上９９質量％以下の割合で含有し、前記雄部材および前記雌部材は、構成する樹脂のＭＦＲが３．０ｇ／１０分以上１０ｇ／１０分以下のランダムポリプロピレン(ＲＰＰ)であることが好ましい。
ここで、メタロセン系直鎖状低密度ポリエチレンの密度が８５０kg／m３未満であると、食品衛生上問題になるおそれがある。一方、密度が９１０ｋｇ／ｍ３を超えると雄部材および雌部材との接着強度が低下するおそれがある。
【００２１】
また、メタロセン系直鎖状低密度ポリエチレンのＭＦＲが１．０ｇ／１０分未満であると、押出不良となるおそれがある。一方、５．０ｇ／１０分を超えると、雄部材および雌部材との接着強度が低下するおそれがある。
【００２２】
そして、メタロセン系直鎖状低密度ポリエチレンは含有量が５０質量％未満であると、包装袋の基底部との接着性が悪く、この基底部とヒートシールしても手で簡単に剥離できる程度の接着強度となるおそれがある。一方、含有量が９９質量％を超えると、金型内で帯状雄基部および帯状雌基部の樹脂が雄部材および雌部材に流れ込んでしまい、特に雌部材の先端が閉じるおそれがある。
【００２３】
一方、ＲＰＰのＭＦＲが３．０ｇ／１０分より小さいと、基底部と連続して一体的に形成される、咬合部の押出成形性が悪くなるおそれがある。一方、樹脂のＭＦＲが１０ｇ／１０分より大きいと、雌型咬合部のフック部の先端が閉じやすくなったり、雄型咬合部が倒れやすくなるので、再開閉可能な所定の形状に押し出すことが困難になるおそれがある。
【００２４】
したがって、基底部を構成するメタロセン系直鎖状低密度ポリエチレンは、雄部材および雌部材を構成するＲＰＰより、低温シール性に優れているため袋体の熱劣化が軽減するとともに、袋体の破断や雄部材および雌部材の変形を抑制することができる。
【００２５】
本発明の咬合具付き包装袋は、包装袋本体と、この包装袋に設けられた上述の咬合具と、を具備する。
このような構成によれば、支柱部が雄部材および雌部材を安定に支持するので、咬合具付き包装袋は均一にシールされた咬合具を備える。
また、支柱部は咬合部よりも開口縁側に設けられているので、咬合具付き包装袋を開封する際、支柱部は帯状雄基部または帯状雌基部に当接することがない。したがって、咬合具付き包装袋は繰り返し係脱しても係合度合いが安定した咬合具を備える。
そして、支柱部が雄部材および雌部材を安定に支持するので、咬合具付き包装袋はシワなどが発生しにくくなり外観が良好になる。
【発明を実施するための最良の形態】
【００２６】
以下、本発明を実施するための最良の形態を説明する。
なお、本実施形態では、本発明における咬合具付き包装袋として、例えば、食品、薬品、医療品、雑貨等の各種物品を包装するための包装袋など、包装袋本体と、包装袋本体の内面に設けられた咬合具とを備えた包装袋を例示する。
図１は、本実施の形態における包装袋を示す平面図である。図２は、包装袋に設けられた咬合具の断面図である。図３は、包装袋を開封する際の動作を説明するための咬合具の断面図である。
なお、図１では都合上、咬合部を省略している。
【００２７】
［包装袋の構成］
図１において１は包装袋であり、包装袋１は平面視で略矩形状の包装袋本体１０と、包装袋本体１０を構成する基材フィルム１１と、包装袋本体１０の開口縁側に設けられた図示しない咬合具と、咬合具に設けられた雄部材２１０とを有している。
【００２８】
咬合具２は、図２に示すように、基材フィルム１１の内面に設けられ、互いに係脱可能に咬合する雄部材２１０と、雌部材２２０とを備えている。そして、雄部材２１０と雌部材２２０とは互いに係合することにより咬合部２３０を形成する。咬合部２３０は、帯状雄基部２１１と帯状雌基部２２１との間に設けられるとともに、帯状雄基部２１１および帯状雌基部２２１の収納側の端縁に沿って設けられている。
雄部材２１０は、包装袋本体１０に連続して設けられた帯状雄基部２１１と、帯状雄基部２１１の長手方向の側部であり収納側に設けられた雄型咬合部２１２と、帯状雄基部２１１の長手方向の側部であり雄型咬合部２１２と反対側である開口縁側に設けられた支柱部２４０と、帯状雄基部２１１に複数設けられたリブ２１４とを備えている。
【００２９】
雄型咬合部２１２は雌部材２２０に向かって突設されて、リブ状に設けられた基端部２１２Ａと略鏃（やじり）状の頭部２１３とを有する。
頭部２１３は、収納側に一体に設けられた第一雄咬合片２１３Ａと、開口側に設けられた第二雄咬合片２１３Ｂとを有している。第一雄咬合片２１３Ａは、帯状雄基部２１１に向かう方向であって、収納側に突設されている。また、第二雄咬合片２１３Ｂは、帯状雌基部２２１に向かう方向であって、開口縁側に突設されている。そして、第一雄咬合片２１３Ａは、突出長さが第二雄咬合片２１３Ｂよりも大きい状態である。つまり、第一雄咬合片２１３Ａは、係合度合いが第二雄咬合片２１３Ｂよりも大きい状態である。
そして、咬合具２が外側から押圧された際、頭部２１３の先端部分は、帯状雌基部２２１に当接可能である。なお、頭部２１３の先端部は、帯状雌基部２２１に面接触可能な当接面を有していても良い。
【００３０】
支柱部２４０は後述する雌型咬合部２２２と後述する支柱部２４１との間に設けられ、開封側から収納側に向かう方向である幅寸法が帯状雄基部２１１から帯状雌基部２２１に向かうにしたがって小さくなる断面略台形状である。なお、支柱部２４０の断面形状は、略台形状だけでなく、例えば、略三角形状、略四角形状、略倒立台形状、リブ状などでもよい。
また、支柱部２４０の先端部分は、雄型咬合部２１２と雌型咬合部２２２とが係合した状態で帯状雌基部２２１に当接可能である。支柱部２４０の先端部分が当接することにより、帯状雄基部２１１および帯状雌基部２２１は安定に支持される。
【００３１】
そして、支柱部２４０は帯状雄基部２１１と帯状雌基部２２１との対向方向である高さ寸法が、咬合部２３０の高さ寸法と略同等である。すなわち、帯状雄基部２１１の長手方向と帯状雌基部２２１の長手方向とは略平行の状態である。
この支柱当接面２４０Ａは基端面２４０Ｂの垂直方向の延長線上の範囲内に位置する形状に形成されている。基端面２４０Ｂとは、帯状雄基部２１１における、支柱部２４０が設けられた一平面で支柱部２４０に連続した延長上の仮想面を意味する。
例えば、支柱当接面２４０Ａが基端面２４０Ｂの垂直方向の延長線上の範囲外に位置する場合、支柱部２４０が帯状雌基部２２１に当接する状態において、帯状雌基部２２１に当接する支柱当接面２４０Ａが受ける応力の方向と基端面２４０Ｂが受ける応力の方向とが互いに対向しなくなるので、支柱部２４０は、変形しやすくなる。
【００３２】
そして、支柱部２４０は開口縁に略沿って１条設けられている。例えば、支柱部２４０は開口縁に略沿って連続して壁状に設けられている。なお、支柱部２４０は、複数条設けられていても良い。
また、支柱部２４０は、帯状雄基部２１１と一体に形成されていてもよく、帯状雄基部２１１と異なる樹脂により一体的に設けられていてもよい。
【００３３】
さらに、リブ２１４は支柱部２４０よりも開口縁側に複数設けられ、断面が略三角形状である。なお、リブ２１４は１条でもよい。リブ２１４の形状は、例えば、三角形、矩形、半円などでもよい。
雌部材２２０に設けられた支柱部２４１の先端部分は、リブ２１４間に当接可能である。具体的には、これらのリブ２１４は間隙幅が支柱部２４１の幅寸法よりも若干大きく設けられている。
【００３４】
そして、リブ２１４は帯状雄基部２１１から帯状雌基部２２１に向かう方向である長さ寸法が５０μｍ以上１５０μｍ以下、好ましくは、６０μｍ以上１００μｍ以下である。
ここで、５０μｍ未満の場合、リブ２１４は支柱部２４１を支えられなくなるおそれがある。一方、１５０μmを超えると、包装袋本体１０の側部における咬合具２の溶融扁平化を阻害するおそれがある。
【００３５】
また、雌部材２２０は、包装袋本体１０の内側に連続して設けられた帯状雌基部２２１と、帯状雌基部２２１の帯状方向の側部であり、収納側に設けられた雌型咬合部２２２と、帯状雄基部２１１の長手方向の側部であって、雌型咬合部２２２と反対側に設けられた支柱部２４１と、帯状雌基部２２１に複数設けられたリブ２２４とを備えている。
【００３６】
そして、雌型咬合部２２２は、帯状雄基部２１１に向かって突設された第一フック部２２３Ａおよび第二フック部２２３Ｂとから構成されている。
第一フック部２２３Ａは、帯状雌基部２２１における収納側の端部に設けられ、第二フック部２２３Ｂは、帯状雌基部２２１における、支柱部２４０と第一フック部２２３Ａとの間に配置されて設けられている。また、第一フック部２２３Ａと第二フック部２２３Ｂとは、帯状雌基部２２１から帯状雄基部２１１に向かうにしたがって、互いの対向方向である近接する方向に傾斜している。
そして、第一フック部２２３Ａと第二フック部２２３Ｂとの間には、雄部収容空間２２３Ｃが形成されている。
第一フック部２２３Ａ、第二フック部２２３Ｂは、帯状雌基部２２１と帯状雄基部２１１との対向方向である長さ寸法が雄型咬合部２１２と略同等である。
そして、雄部収容空間２２３Ｃは、開口縁側から収納側に向かう方向である幅寸法が頭部２１３よりも大きい。
【００３７】
そして、第一フック部２２３Ａと第二フック部２２３Ｂとの間に形成された雄部収容空間２２３Ｃに頭部２１３を位置させることにより、雄型咬合部２１２と雌型咬合部２２２とが係合した状態になる。
また、第一フック部２２３Ａの帯状雄基部に近接する部分には、帯状雄基部２１１に当接可能な咬合当接面２２３Ａ１が設けられている。また、第二フック部２２３Ｂの帯状雄基部に近接する部分にも、帯状雄基部２１１に当接可能な咬合当接面２２３Ｂ１が設けられている。
【００３８】
また、支柱部２４１は帯状雌基部２２１の開封側の端部に設けられ、開封側から収納物側に向かう方向である幅寸法が帯状雌基部２２１から帯状雄基部２１１に向かうにしたがって小さくなる断面略台形状である。なお、支柱部２４１の断面形状は、例えば、略三角形状、略四角形状、略リブ状、略倒立台形状などでもよい。そして、支柱部２４１の先端部分は、帯状雄基部２１１に当接可能な支柱当接面２４１Ａを有している。この支柱当接面２４１Ａは、基端面２４１Ｂの垂直方向の延長線上の範囲内に位置する形状に形成されている。
また、支柱部２４１は、帯状雌基部２２１と一体に形成されていてもよく、帯状雌基部２２１と異なる樹脂により一体的に設けられていてもよい。
【００３９】
さらに、リブ２２４は雌型咬合部２２２と支柱部２４１との間に複数設けられ、断面が略三角形状である。そして、支柱部２４０の先端部分は、リブ２２４の間に配置され、リブ２２４に当接可能である。具体的には、これらのリブ２２４は間隙幅が支柱部２４０の幅寸法よりも若干大きく設けられている。
また、リブ２２４はリブ２１４と同様に、帯状雌基部２２１から帯状雄基部２１１に向かう方向である長さ寸法が５０μｍ以上１５０μｍ以下、好ましくは、６０μｍ以上１００μｍ以下である。そして、リブ２２４の形状は、例えば、略三角形、略矩形、略半円などでもよい。
【００４０】
そして、雄型咬合部２１２と、雌型咬合部２２２と、支柱部２４０、２４１とは、帯状雄基部２１１と帯状雌基部２２１とが対向する方向である長さ寸法がそれぞれ略同等である。具体的には、長さ寸法は１．１８ｍｍである。
ここで、長さ寸法に差があると、ヒートシールする際、図示しないヒートシールバーと帯状雄基部２１１、帯状雌基部２２１との空隙が大きい部分ができたり、小さい部分ができたりするので、シールムラが起こるおそれがある。
【００４１】
また、雄部材２１０および雌部材２２０は構成する樹脂がランダムポリプロピレン（ＲＰＰ）である。このＲＰＰのＭＦＲは３．０g/１０分以上１０g/１０分以下である。
【００４２】
ここで、ＲＰＰのＭＦＲが３．０ｇ／１０分より小さいと、雄型咬合部２１２および雌型咬合部２２２の押出成形性が悪くなるおそれがある。一方、樹脂のＭＦＲが１０ｇ／１０分より大きいと、雌型咬合部２２２の第一フック部２２３Ａおよび第二フック部２２３Ｂの先端部分が閉じやすくなったり、雄型咬合部２１２が倒れやすくなるので、再開閉可能な所定の形状に押し出すことが困難になるおそれがある。
【００４３】
［包装袋の動作］
［シールの動作］
次に、基材フィルム１１に雄部材２１０および雌部材２２０をシールする動作について説明する。なお、本動作では、略平板状のシールバーを用いて、雄部材２１０および雌部材２２０に基材フィルム１１を融着する構成を示すが、これに限られない。例えば、一対のロールバーを用いて、一対のロールバー間に雄部材２１０と雌部材２２０と基材フィルム１１とを通して、融着させてもよい。
【００４４】
まず、雄部材２１０は、帯状雄基部２１１と雄型咬合部２１２とを共押出成形法により一体化して得る。同様に、雌部材２２０も帯状雌基部２２１と雌型咬合部２２２とを共押出成形法により一体化して得る。
【００４５】
次に、互いに係合した雄部材２１０および雌部材２２０を備えた咬合具２を内面に挟む状態で、基材フィルム１１を重ね合わせる。そして、基材フィルム１１を所定の間隙を有するシールバーの間に通す。これらのシールバーは、それぞれの平面が包装袋本体１０の平面方向と略平行に近接離隔可能に設けられている。そして、外側から基材フィルム１１を押圧するとともに、基材フィルム１１に熱を加える。これにより、帯状雄基部２１１が基材フィルム１１に融着され、また、帯状雌基部２２１も基材フィルム１１に融着されるので、咬合具２は包装袋１に取り付けられる。
【００４６】
この際、咬合具２の収納側の端部には雄型咬合部２１２と雌型咬合部２２２とが係合して形成された咬合部２３０が設けられ、開口縁側の端部には、支柱部２４０、２４１が設けられている。そして、帯状雄基部２１１および帯状雌基部２２１がシールバーにより押圧力を受けても支柱部２４０の支柱当接面２４０Ａおよび支柱部２４１の支柱当接面２４１Ａが帯状雄基部２１１および帯状雌基部２２１を変形させることなく、安定に支持する。したがって、帯状雄基部２１１および帯状雌基部２２１は、基材フィルム１１に均一にシールされる。また、咬合部２３０は、従来のように支柱部が互いに摺動する場合と比較してシールバーの押圧力により変形する可能性が低い。そして、咬合具２を備え、外観が良好な包装袋１が得られる。
【００４７】
［包装袋の開封時の動作］
次に、上述のようにして得られた包装袋１を開封する際の動作について、図３を用いて説明する。
包装袋本体１０における、咬合具２よりも開口縁側の基材フィルム１１を把持する。そして、雄部材２１０と雌部材２２０とが互いに離隔する方向へ引っ張り力を作用させる。この際、図３に示すように、第二雄咬合片２１３Ｂと第二フック部２２３Ｂとが近接して係合する状態になる。一方、第一雄咬合片２１３Ａは、第二雄咬合片２１３Ｂより突出長さが大きいので、第一フック部２２３Ａから離隔しているが係合状態が維持されている。さらに、続けて引っ張り力を作用させると、第一雄咬合片２１３Ａと第一フック部２２３Ａおよび第二雄咬合片２１３Ｂと第二フック部２２３Ｂの係合が解除され、収納側の収容空間が外部に連通する開封状態となる。
【００４８】
この際、例えば、咬合部よりも収納側に支柱部を有すると、支柱部と帯状雄基部または帯状雌基部とが当接することにより、第二雄咬合片２１３Ｂが第二フック部２２３Ｂと強く係合して、開封しにくくなるおそれがあると考えられる。
【００４９】
このため、本発明の構成では、開封する際咬合具２は咬合部２３０よりも収納側に支柱部を有していないので、咬合部２３０の係合が一定の強度で解除される。したがって、咬合部２３０の係合度合いが安定する。
【００５０】
［実施形態の効果］
本実施形態によれば、咬合具２は、包装袋１に取り付けられる際、帯状雌基部２２１に当接する支柱部２４０と、帯状雌基部２２１に当接する支柱部２４１とを有する。
このため、支柱部２４０は、帯状雌基部２２１を安定して支持し、支柱部２４１は帯状雄基部２１１を安定して支持する。このため、帯状雄基部２１１および帯状雌基部２２１は、包装袋１に均一にシールされるので、包装袋１は外観が良好になる。また、支柱部２４０，２４１および咬合部２３０は、シールする際に帯状雄基部２１１および帯状雌基部２２１が受ける力を分散する。このため、咬合部２３０は変形しにくくなる。
そして、支柱部２４０、２４１が咬合部２３０より開口縁側に位置して設けられているので、収納側に設けられた場合と比較して咬合部２３０は係合度合いが安定する。
【００５１】
そして、雌型咬合部２２２は、雄型咬合部２１２と咬合した状態で帯状雄基部２１１に面にて当接する咬合当接面２２３Ａ１、２２３Ｂ１を有している。
このため、包装袋１に咬合具２をシールする際、帯状雄基部２１１は咬合当接面２２３Ａ１、２２３Ｂ１に当接するので、損傷することがない。したがって、雌型咬合部２２２は、帯状雄基部２１１を安定して支持することができる。
【００５２】
また、雄型咬合部２１２は、帯状雄基部２１１に長手方向に沿ってリブ状に設けられた基端部２１２Ａと、この基端部２１２Ａの先端部に幅広に突設された頭部２１３とを有する。そして、頭部２１３は、第一雄咬合片２１３Ａと第二雄咬合片２１３Ｂとを有する。第一雄咬合片２１３Ａは第二雄咬合片２１３Ｂより雌型咬合部２２２との係合度合いが大きい状態である。
したがって、咬合具２は開封が容易で、内容物を確実に封止できる。
【００５３】
支柱部２４０は、咬合部２３０とともに帯状雄基部２１１の長手方向と帯状雌基部２２１の長手方向とが略平行になる状態に帯状雄基部２１１および帯状雌基部２２１を支持している。
このため、咬合具２を基材フィルム１１にシールしやすくなり、外観が良好な包装袋１が得られる。
【００５４】
そして、支柱部２４０は帯状雌基部２２１に当接する支柱当接面２４０Ａを有し、支柱部２４１は帯状雄基部２１１に当接する支柱当接面２４１Ａを有する。
このため、包装袋１に咬合具２をシールする際、支柱部２４０が支柱当接面２４０Ａにて当接するので、帯状雌基部２２１が損傷することがない。また、支柱部２４１も同様に支柱当接面２４１Ａにて当接するので、帯状雄基部２１１が損傷することがない。
したがって、支柱部２４０は帯状雌基部２２１を安定し、支柱部２４１は帯状雄基部２１１を安定して支持することができる。
【００５５】
また、支柱部２４０は、支柱当接面２４０Ａが基端面２４０Ｂの垂直方向の延長線上の範囲内に位置する形状に形成されている。
このため、支柱部２４０は、帯状雌基部２２１に当接する支柱当接面２４０Ａにかかる応力の方向と基端面２４０Ｂにかかる応力の方向とが互いに対向するので、変形しにくい。
また支柱部２４１も同様に、支柱当接面２４１Ａが基端面２４１Ｂの垂直方向の延長線上の範囲内に位置する形状に形成されている。したがって、支柱部２４１も、変形しにくい。
よって、支柱部２４０、２４１は、当接時に変形しにくくなり、応力を効率よく吸収して帯状雄基部２１１および帯状雌基部２２１を安定に支持することができる。
【００５６】
また、咬合具２は、支柱部２４０、２４１を有している。
このため、支柱部２４０は、帯状雄基部２１１を安定して支持し、支柱部２４１は、帯状雌基部２２１を安定して支持するので、支柱部が１条の場合と比較して、咬合具２は安定した状態を維持しやすい。
【００５７】
また、帯状雄基部２１１は、支柱部２４１に当接可能なリブ２１４を有し、帯状雌基部２２１は、支柱部２４０に当接可能なリブ２２４を有する。
このような構成によれば、咬合具２を包装袋本体１０にシールする際、リブ２１４、２２４が支柱部２４０、２４１を固定してずれを防ぐことができる。
【００５８】
また、包装袋１は、包装袋本体１０と、この包装袋本体１０に設けられた咬合具２とを有する。
このため、支柱部２４０、２４１が雄部材２１０および雌部材２２０を安定に支持するので、包装袋１は均一にシールされた咬合具２を有する。
また、支柱部２４０、２４１は咬合部２３０よりも開口縁側に設けられているので、包装袋１を開封する際、支柱部２４０、２４１は帯状雄基部２１１および帯状雌基部２２１に当接することがない。したがって、包装袋１は繰り返し係脱しても係合度合いが安定した咬合具２を備える。
そして、支柱部が雄部材および雌部材を安定に支持するので、包装袋１は外観が良好な状態で得られる。
【００５９】
［実施形態の変形例］
なお、本発明は、上述の実施形態に限定されるものではなく、本発明の目的を達成できる範囲での変形、改良などは、本発明に含まれるものである。
図４は、他の実施形態にかかる包装袋を示す断面図である。
【００６０】
本実施形態では、支柱部２４０は、支柱当接面２４０Ａが帯状雌基部２２１に当接する構成を示したがこれに限られない。例えば、支柱部は帯状雄基部２１１の開口縁側の端部と、帯状雌基部２２１の開口縁側の端部とにそれぞれ設けられ、これら支柱部はそれぞれの先端が互いに当接可能に対向してもよい。
この場合、それぞれの支柱部は、包装袋１に咬合具２をシールする際、先端部分で互いに当接して帯状雄基部２１１および帯状雌基部２２１を支持する。このため、それぞれの支柱部は、単数の支柱部が帯状雄基部２１１または帯状雌基部２２１を支持する場合と比較して、高さ寸法が短くてすむので、成形が容易となる。
【００６１】
本実施形態では、咬合部２３０は、帯状雄基部２１１の収納側の端縁および帯状雌基部２２１の収納側の端縁に沿って設けられている構成を示したがこれに限られない。例えば、咬合部２３０は、収納側の端縁よりも開口縁側、すなわち内側に位置して設けられていてもよい。
【００６２】
また、本実施形態では、咬合具２には、支柱部２４０、２４１が設けられている構成を示したがこれに限られない。例えば、図４に示すように、雄部材２１０のみに支柱部２４０が設けられている構成でも良い。この場合、帯状雄基部２１１は、幅寸法を小さくすることができる。また、帯状雌基部２２１も同様に、幅寸法を小さくすることができる。このため、帯状雄基部２１１および帯状雌基部２２１は、基材フィルム１１にシールされやすくなる。
【００６３】
また、本実施形態では、帯状雄基部２１１および帯状雌基部２２１に基材フィルム１１をシールする構成を示したが、これに限られない。
例えば、図４に示すように、帯状雄基部２１１と基材フィルム１１との間、および帯状雌基部２２１と基材フィルム１１との間に、それぞれ雄部材２１０および雌部材２２０より低融点の基底部２５０、２６０が設けられていても良い。この場合、咬合具２を基材フィルム１１にシールする際、雄部材２１０および雌部材２２０は変形しにくくなる。したがって、雄部材２１０および雌部材２２０は、基材フィルム１１に均一にシールされやすくなる。
【００６４】
また、基底部２５０、２６０は、構成する樹脂の融点が雄部材２１０および雌部材２２０よりも低いことが好ましい。
融点の温度差は１０℃以上５０℃以下であることが好ましく、さらに好ましくは、２０℃以上４０℃以下である。
【００６５】
また、基底部２５０、２６０は、メタロセン系直鎖状低密度ポリエチレンから構成され、密度が８５０kg／m３以上９１０kg／m３以下である。
ここで、メタロセン系直鎖状低密度ポリエチレンの密度が８５０kg／m３未満であると、食品衛生上問題になるおそれがある。一方、密度が９１０kg／m３を超えると雄部材および雌部材との接着強度が低下するおそれがある。
そして、メタロセン系直鎖状低密度ポリエチレンのＭＦＲが１．０ｇ／１０分以上５．０ｇ／１０分以下である。
ここで、ＭＦＲが１．０ｇ／１０分未満であると、押出不良となるおそれがある。一方、５．０ｇ／１０分を超えると、雄部材および雌部材との接着強度が低下するおそれがある。
【００６６】
さらに、メタロセン系直鎖状低密度ポリエチレンの含有量が５０質量％以上９９質量％以下である。
ここで、含有量が５０質量％未満であると、包装袋の基底部との接着性が悪く、この基底部とヒートシールしても手で簡単に剥離できる程度の接着強度となるおそれがある。一方、含有量が９９質量％を超えると、金型内で帯状雄基部および帯状雌基部の樹脂が雄部材および雌部材に流れ込んでしまい、特に雌部材の先端が閉じるおそれがある。
【００６７】
このような構成よれば、基底部２５０、２６０を構成するメタロセン系直鎖状低密度ポリエチレンは、雄部材２１０および雌部材２２０を構成するＲＰＰより、低温シール性に優れている。このため、基材フィルム１１の熱劣化を軽減し、基材フィルム１１の破断、雄型咬合部２１２および雌型咬合部２２２の変形を抑制することが出来る。
【００６８】
また、支柱部２４０は、支柱当接面２４０Ａを有する構成を示したがこれに限られない。例えば、支柱部２４０と帯状雌基部２２１との当接部分は、帯状雌基部２２１に向かうにしたがって幅狭となる断面状で略三角形状や、略円弧状でもよい。
そして、雌型咬合部２２２は、咬合当接面２２３Ａ１、２２３Ｂ１を有する構成を示したがこれに限られない。例えば、雌型咬合部２２２と帯状雌基部２２１との当接部分は、帯状雌基部２２１に向かうにしたがって幅狭となる略三角形状や、略円弧状でもよい。
例えば、第一フック部２２３Ａと帯状雄基部２１１との当接部分および第二フック部２２３Ｂと帯状雄基部２１１との当接部分は、帯状雄基部２１１に向かうにしたがって幅狭となる断面状で略三角形状でもよい。この場合、雄型咬合部２１２と雌型咬合部２２２とを咬合させる際、頭部２１３が第一フック部２２３Ａおよび第二フック部２２３Ｂの先端部分により雄部収容空間２２３Ｃに向かって移動しやすくなる。したがって、雄型咬合部２１２と雌型咬合部２２２とを咬合させやすくなる。
【００６９】
また、支柱部２４０は支柱当接面２４０Ａ、２４１Ａが基端面２４０Ｂ、２４１Ｂの垂直方向の延長線上の範囲内に位置する構成を示したがこれに限られない。例えば、基端面２４０Ｂ、２４１Ｂの垂直方向の延長線上の範囲外に位置してもよい。
【００７０】
また、第一雄咬合片２１３Ａは、突出長さが第二雄咬合片２１３Ｂよりも大きい構成を示したがこれに限られない。例えば、第一雄咬合片２１３Ａは、突出長さが第二雄咬合片２１３Ｂよりも小さくても良い。また、第一雄咬合片２１３Ａは、突出長さが第二雄咬合片２１３Ｂと略同等でもよい。
【００７１】
また、第一フック部２２３Ａは、突出長さが第二フック部２２３Ｂよりも大きい構成を示したがこれに限られない。例えば、第一フック部２２３Ａは、突出長さが第二フック部２２３Ｂよりも小さくても良い。また、第一フック部２２３Ａは、突出長さが第二フック部２２３Ｂと略同等でもよい。
その他、本発明の実施における具体的な材料および処理などは、本発明の目的を達成できる範囲で他の材料および処理などとしてもよい。
【実施例】
【００７２】
実施例および比較例を挙げて本発明をさらに詳しく説明する。なお、本発明はこれらの実施例の記載内容に何ら制限されるものではない。
【００７３】
［実施例１］
実施例１では、咬合具と似た形状である金型の流路を備えた２台の押出機を用いて、雄部材および雌部材を構成する樹脂と、基底部を構成する樹脂とを共押出した。そして、得られた成形品を水冷却することにより咬合具を得た。
雄部材および雌部材には、密度が９００ｋｇ／ｍ３、ＭＦＲが７．０ｇ/１０分、融点が１３２℃、Ｅｔｈｙｌｅｎｅ  ｃｏｎｔｅｎｔが４質量％のＲＰＰを使用した。
基底部には、密度が８９８ｇ／ｍ３、ＭＦＲが３．５ｇ/１０分、融点が９０℃のメタロセン系直鎖状低密度ポリエチレンを使用した。
【００７４】
そして、咬合具の高さ寸法とほぼ同等の空隙を有する一対のヒートシールバーの間で咬合具と基材フィルムを連続的に通過させるとともに、ヒートシールバーとフィルムの間にガラスクロスエンドレスベルトを可動可能な状態で配設し、咬合具とフィルムを熱融着させる方式のベルトシール製袋機（トタニ技研工業株式会社製）により包装袋を作製した。
【００７５】
［実施例２］
実施例２では、基底部を有しない咬合具を用いた以外は、実施例１と同様にして包装袋を作製した。
【００７６】
［比較例１］
従来技術である特許文献１（米国特許ＵＳ―５，４６２，３６０）に記載のジッパーテープを用いた以外は、実施例１と同様にして包装袋を作製した。
特許文献１のジッパーテープは、低密度ポリエチレン製の一対の雄型咬合部および雌型咬合部を有し、帯状雄基部の開封側の端部および収納側の端部には支柱部がそれぞれ設けられ、帯状雌基部の開封側の端部および収納側の端部には支柱部が設けられている。これらの支柱部は、雄型咬合部と雌型咬合部との対向方向である高さ寸法が咬合部より小さい。
基底部には、雄部材および雌部材より融点が低い、酢酸ビニルの含有量が１５質量％のエチレン-酢酸ビニル共重合体を用いている。
【００７７】
［比較例２］
従来技術である特許文献２（特開２０００−２５５５９７）に記載のジッパーテープを用いた以外は、実施例１と同様にして包装袋を作製した。
特許文献２のジッパーテープは低密度ポリエチレン製で二対の咬合部を有しており、雄部材としての雄型プロフィルの両端部において、支柱部としての高圧縮部材を有している。また、雌部材としての雌型プロフィルの両端部にも、高圧縮部材を有している。
また、ジッパーテープは基底部を有していない。
【００７８】
［実施例１、実施例２、比較例１、および比較例２で得られた包装袋の評価］
包装袋の評価は、以下のように行った。
【００７９】
＜シール状態の評価基準＞
◎：全幅に渡り均一にシールがされている。
○：部分的にシールが弱い部分がある。
△：全幅に渡りシールが弱い。
【００８０】
＜咬合具の変形状態の評価基準＞
○：咬合具に変形が見られない。
△：咬合具に変形が見られるが、開封に特に問題は無い。
×：咬合具に変形が見られ、開封にも影響がある。
【００８１】
＜繰り返し係合度合いの評価基準＞
○：繰り返し再開閉を行っても係合度合いに変化が無い。
×：繰り返し再開閉を行うと係合度合いに変化がある。
以上の評価結果を表１に示す。
【００８２】
【表１】
0004959442.tif 000002
【００８３】
［評価結果］
表１の結果から分かるように、実施例１については、シール状態、咬合具の変形状態、繰り返し係合度合いのすべてにおいて良好な結果が得られた。
実施例２については、咬合具の変形が見られた。このことから、咬合具が基底部を有することにより、包装袋を作製する際、変形しにくくなることが分かった。
比較例１および２については、繰り返し係合度合いが悪かった。このことから、支柱部を咬合部よりも収納側に設けると、繰り返して再開閉した際、係合度合いが変化することがわかった。
【００８４】
本実施例によれば、支柱部を咬合部よりも開口側に位置する状態で雄部材および雌部材にそれぞれ設ける。そして、咬合部が形成された状態において、これら支柱部を対向する雌部材と雄部材とに当接させる。このことにより、包装袋の作製時のシールの状態および咬合具の状態が良好で、繰り返して開閉しても係合度合いが安定した包装袋が得られることが分かった。
【産業上の利用可能性】
【００８５】
本発明は、例えば、食品、薬品、医療品、雑貨等の各種物品を包装するための包装袋に用いられる咬合具として利用することができる。
【図面の簡単な説明】
【００８６】
【図１】本発明における一実施の形態にかかる包装袋を示す平面図である。
【図２】包装袋に設けられた咬合具の断面図である。
【図３】包装袋を開封する際の動作を説明するための咬合具の断面図である。
【図４】他の実施形態にかかる包装袋を示す断面図である。
【符号の説明】
【００８７】
１…包装袋
２…咬合具
２１０…雄部材
２１１…帯状雄基部
２１２…雄型咬合部
２２０…雌部材
２２１…帯状雌基部
２２２…雌型咬合部
２４０、２４１…支柱部
【図１】
0004959442.tif 000003
【図２】
0004959442.tif 000004
【図３】
0004959442.tif 000005
【図４】
0004959442.tif 000006